(57)【要約】      （修正有）【課題】容易に且つ安全に貯金箱として再利用可能な飲料水用のペットボトルを提供する。【解決手段】飲料水等の容器として用いるペットボトルの本体に、細長い形状の突起部を有し、突起部の突き出しの頭頂部は本体の形状に係わらず本体の中心方向に直角であり且つ平面とする構成とし、突起部を切り取ることで、コインの投入口を構成し、貯金箱として再利用を可能とする。【選択図】図１
0003203078.tif 000002
【実用新案登録請求の範囲】
【請求項１】
飲料水等の容器として用いるペットボトルであって、
前記ペットボトルの本体に、細長い形状の突起部を有し、
前記突起部の突き出しの頭頂部は前記本体の形状に係わらずの前記本体の中心方向に直角であり且つ平面とする構成とし、
前記突起部を切り取ることで、コインの投入口を構成する貯金箱として再利用を可能とすることを特徴とするペットボトル。
【請求項２】
前記突起部は、前記ペットボトルの本体の側面が垂直方向からキャップ部方向に曲がる際の頂点に位置することを特徴とする請求項１のペットボトル容器。
【請求項３】
前記突起部は、その形状を細長い六角形または楕円形とし、前記突起部を切り取る際に長辺どうしを重ね易くすることで、容易に切り取ることがかのうとなることを特徴とする請求項1又は請求項２のペットボトル容器。
【考案の詳細な説明】
【技術分野】
【０００１】
この考案は、貯金箱としても使える飲料水用のペットボトル容器の形状に関するものである。
【背景技術】
【０００２】
現在、ペットボトルの約９割が飲料水用として用いられ、だれでも手軽に手にすることができる。そのペットボトルを再利用するアイディアの一つとして、飲み終えたペットボトルを貯金箱として利用するというものがある。
その方法の一つとして、キャップにコインの投入口を設けることで貯金箱として再利用する技術が特許文献１に記載されている。
また、一般的にはペットボトルの容器本体にカッターナイフなどで、コイン投入口となる穴を開けて貯金箱として再利用する方法が広く知られている。
【先行技術文献】
【特許文献】
【０００３】
【特許文献１】実登３１０８５５１
【考案の概要】
【考案が解決しようとする課題】
【０００４】
上述した従来技術には、次のような欠点があった。
ペットボトルのふたに投入口を設ける技術では、現在一般的に販売されている飲料水等のペットボトルの飲み口の内径は２０．４mm〜２１．８mm程度であるため、１円玉や５０円玉は入るが、５円玉、１０円玉、５００円玉は入らない。
ペットボトルの容器本体にカッターナイフ等でコイン投入口となる穴を開けて貯金箱として再利用する技術では、穴を開ける際に本体が変形したりするため扱いにくい状態での作業となり大変危険である。
本考案は、以上の問題点を解決し、有効に再利用できるペットボトルを提供するものである。
【課題を解決するための手段】
【０００５】
上述の課題を解決するための手段を以下に示す。
請求項１に記載の本考案のペットボトルは、飲料水等の容器として用いるペットボトルであって、前記ペットボトルの本体１０に、細長い形状の突起部１を有し、前記突起部の突き出しの頭頂部は前記本体１０の形状に係わらず前記本体１０の中心方向に直角であり且つ平面とする構成とし、前記突起部１を切り取ることで、コインの投入口を構成する貯金箱として再利用を可能とすることを特徴とすることで、容易に且つ安全に再利用することができる。
請求項２に記載の本考案のペットボトルは、前記突起部は、前記ペットボトルの本体１０の側面が垂直方向からキャップ部方向に曲がる際の頂点に位置するので、前記の細長い形状の突起部１をさらに突き出し、切り取りやすくしている。
請求項３に記載の本考案のペットボトルは、前記突起部分の形状を横に細長い六角形または楕円形にすることによって、切取るときに突起部分の上辺と下辺が合わさりやすくなり、容易に且つ安全に切り取ることができる。
上述の如く、本考案は、飲み終えた容器を貯金箱として、いつでも簡単かつ有効に再利用することができることを特徴とする飲料水用ペットボトルを提供するものである。
【考案の効果】
【０００６】
本考案は、広く市販されている飲用水の容器として用いられているペットボトルを貯金箱として、容易に且つ安全に再利用することができ、更にその貯金箱には市場で流通している更に様々な大きさのコインを投入することができる。
【図面の簡単な説明】
【０００７】
【図１】本考案を実施するための最良の第１の形態の正面図である。
【図２】本考案を実施するための最良の第１の形態の平面図である。平面図は方形の場合と、円形の場合の突起部の位置を示した真上から見た図である。
【図３】本考案を実施するための最良の第１の形態の斜視図である。
【考案を実施するための形態】
【０００８】
以下、本考案を実施するための形態について説明する。
図１は、前記突起部を設けたペットボトルを正面から見た図である。
図２は、ペットボトルの代表的な形状に前記突起部をつけた平面図
である。
図３は、突起部を斜めから見た図である。
【実施例】
【０００９】
この考案の実施例を、図面を参照しながら説明する。
図１は、本考案のペットボトルの正面図である。
突起部１は、切り取ることによってコインの投入口となる細長い形状である。ここで突起部１の形状は、長方形であっても良いし、細長い６角形や楕円形であっても良い。更に突起部１は、図１においてペットボトル本体１０を直立させたときの底面に対して水平方向に細長い構造を示しているが、垂直方向であっても、斜め方向であっても良い。また、このとき突起部１が細長い６角形や楕円形である場合は、例えば図１の突起部１を鋏等使用して切り取る際に、上下の長辺を指でつまむ等によって重ね合わせることで、非常に容易に且つ安全に切り取る事が可能となる。
【００１０】
図２は、本考案のペットボトルを上から見た形状が方形になる容器４と円形になる容器５の平面図を示している。
突起部１は、ペットボトル本体の平面形状が、容器４のように方形であっても、容器５のように円形であっても、突起部１の突き出しの頭頂部はペットボトル本体の中心方向に直角であり且つ平面となる構造である。このような構造とすることで、例えば突起部１を鋏等使用して切り取る際に、直線的に切り取る事が可能となり、容易且つ安全である。
図２は、ペットボトル本体の平面形状が、方形（容器４）と円形（容器５）である場合を示しているが、５角形以上の多角形や楕円形であっても、突起部１を同じ構造とすることで同様の効果を得ることは当然である。
また、図２は、台座２を設けることで、突起部１を容易に上述の構成とすることが可能となる。
【００１１】
図３は、本考案のペットボトルの斜視図であり、突起部１をペットボトルの本体１０の側面が垂直方向からキャップ部方向に曲がる際の頂点に位置している構成を示すものである。
突起部１をこの位置とすることで、突起部１が最も突き出る構成となるため例えば突起部１を鋏等使用して切り取る際に、非常に容易に切り取る事ができる。
【産業上の利用可能性】
【００１２】
本考案は、ペットボトル容器を製造する産業で利用される。
【符号の説明】
【００１３】
１  切り取ることによってコインの投入口に変わる突起部
２  突起部１を支える台座
３  キャップ
４  平面形状が方形の容器
５  平面形状が円形の容器
１０  ペットボトル本体
【図１】
0003203078.tif 000003
【図２】
0003203078.tif 000004
【図３】
0003203078.tif 000005